(57)【要約】【課題】  テープ状粘着カーペットクリーナーの、ゴミが付着して粘着力がなくなった面をめくる時、めくり始めの位置が見つけにくいから、時間もかかり使いにくい原因になっている。【解決手段】  粘着テープの軸方向外側に次回のめくり用つまみ部を形成し、ゴミが付着した面のめくり始めを見つけ易く、つまみ易くて使い易い粘着テープカーペットクリーナーを提供する。【選択図】図２
2015214666.tif 000002
【特許請求の範囲】
【請求項１】
カーペットクリーナー粘着テープのテープの巻き終わり部を上にし、テープを手前から上方の向う側にめくる状態でテープ軸線に対し平行または仰角や俯角を付けてテープ表面にテープ軸方向左端より右へ約１５ｍｍを始点とし、直線や破線や段違い破線などの長い切り込み線を右端の終点まで入れ、次に此の長い切り込み線から円周方向の約１５ｍｍ手前にほぼ並列の左端または左端より右約５ｍｍを始点とし左端から右約４５ｍｍの終点まで同様の短い切り込み線を入れておくと、ゴミが付着し粘着力が無くなったときにはテープの軸方向左端外部に形成されているつまみ部を引き上げるとテープ表面が先ず短い切り込み線で切れ次に長い切り込み線で切れて短冊状に持ち上がるから、これをテープ左端まで引きこの短冊部をテープ面に指で押し付け接着させて引っ張るとテープ左端をはみだして切り離されテープ軸方向テープ外側に次回めくり用つまみ部が形成されるめくり用つまみ部形成カーペットクリーナー粘着テープ。
【請求項２】
カーペットクリーナー粘着テープのロール左端から右へ約５ｍｍ乃至１５ｍｍの点を始点とし、粘着紙のめくり方向にテープ表面上の円周上に約３０ｍｍ長さの直線や破線や段違い破線などの短い切り込み線を、左端面から約１５ｍｍの屈折点または屈曲点まで入れ、更にロール右端の終点まで直線や曲線でテープ軸線に対し平行または仰角や俯角を付けた同様の長い切り込み線を入れておくと、ゴミが付着し粘着力が無くなったときにはテープの軸方向左端外部に形成されているつまみ部を引き上げてめくると約一周で先ずテープ表面の切り込み線始点部がめくれて浮き上がるから此の部分を指で押さえ更にめくって始点部をちぎり終点迄めくりとってから、浮き上がっている始点部をテープ左端にはみださせて折り曲げ、テープ面に指で押し付け接着させるとテープ軸方向テープ外側に次回めくり用つまみ部が形成されるめくり用つまみ部形成カーペットクリーナー粘着テープ。
【請求項３】
カーペットクリーナー粘着テープのロール左端から右へ約５ｍｍの点を始点とし、粘着紙のめくり方向にテープ表面上の円周上に、端面に対し約１５度〜３０度の直線や破線や段違い線などの粘着紙切り離し用の切り込みを、直線状または曲線状に右端の終点まで入れておくと、ゴミが付着し粘着力が無くなったときにはテープの軸方向左端外部に形成されているつまみ部を引き上げてめくると約一周で先ずテープ表面の切り込み線始点部がめくれて浮き上がるから此の部分を指で押さえ更にめくって始点部をちぎり終点迄めくりとってから、浮き上がっている始点部をテープ左端にはみださせて折り曲げ、テープ面に指で押し付け接着させるとテープ軸方向テープ外側に次回めくり用つまみ部が形成されるめくり用つまみ部形成カーペットクリーナー粘着テープ。
【発明の詳細な説明】
【技術分野】
【０００１】  本発明は、カーペットクリーナー粘着テープのゴミが付着して粘着力がなくなった部分を容易にめくる事の出来るカーペットクリーナー粘着テープに関するものである。
【背景技術】
【０００２】  ゴミが付着して粘着力がなくなった部分をめくる時、表面にはペットの毛や繊維状の塵などが巻きついて汚れているから、めくり始め部が見つけ難く、つまみ難いため、めくり始めに時間がかかる難点がある。
その為、ユーザーは粘着力の無くなった部分をちぎった後、次に備えてめくり始め部を若干めくって折り曲げるておく等の策を講じるなどの苦労をしている。
【発明の概要】
【発明が解決しようとする課題】
【０００３】  解決しようとする問題点は、ゴミが付着して粘着力がなくなった部分をめくる時、めくり始めの部分が見つけにくく、つまみにくく、めくり難いから、面倒で時間も掛かる点である。
【課題を解決するための手段】
【０００４】  本発明は、ゴミが付着して粘着力がなくなった部分をめくりながら、次回のめくり用つまみ部を粘着テープ端面の軸方向の外側に形成しておいて、次回からは此のつまみ部が見つけ易く、つまみ易くして容易にめくれる事で問題を解決するものである。
【発明の効果】
【０００５】  めくり用つまみ部が、粘着紙ロール円筒の端面の外側に形成されているから、汚れず、見え易く、つまみ易く簡単にめくり始められるから時間もかからず、イライラが解消され、ローラー掛けが面白くなる。
【発明を実施するための形態】
【０００６】  本発明のめくり用つまみ部形成カーペットクリーナー粘着テープの最良の形態について、図面を参照して説明する。
【実施例１】
【０００７】  図１は、請求項１のめくり用つまみ部形成カーペットクリーナー粘着テープの、完成品の斜視図であり、テープを手前から上方の向こう側にめくる状態の図である。
粘着テープロール左端１より右約１５ｍｍ（Ｌ１）を始点Ａとし、直線や破線や段違い破線などの粘着紙切り離し用の長い切り込み線３を、テープ軸線（図４のＪ）に対し平行または角度を付けて右端２の終点Ｂまで入れる。【０００８】  此の長い切り込み線３から円周方向の約１５ｍｍ（Ｌ５）手前にほぼ並列の短い切り込み線４を左端１または左端より右約５ｍｍを始点Ｃとして右約４５ｍｍ（Ｌ２）の終点Ｄまで入れてある。
（Ｌ２）約４５ｍｍは（Ｌ１）約１５ｍｍの三倍であり、粘着テープロール左端外部に長さ約１５ｍｍのめくり用つまみ部を形成するに必要な寸法関係にある。【０００９】ゴミが付着し粘着力が無くなったときには、図２に示すテープの軸方向左端外部に形成されているつまみ部５を引き上げるとテープ表面が先ず短い切り込み線４で切れ、次に長い切り込み線３が始点Ａまで切れて図３の如く短冊６状に持ち上がるから、これをテープ左端１まで引きこの短冊部をテープ面に指で押し付け接着させて引っ張るとテープ左端１をはみだして切り離され図２の如くテープ軸方向テープ外側に次回めくり用つまみ部５が形成される。【００１０】  図４のＪは軸線をしめし、Ｋは直線切り込み、Ｌは破線切り込み、Ｍは段違い破線切り込み、Ｎは軸線に平行な切り込み、Ｏは軸線に仰角の切り込み、Ｐは軸線に俯角の切り込み、Ｑは曲線の切り込みであって、請求項１のめくり用つまみ部形成カーペットクリーナー粘着テープに適用できる。
【実施例２】
【００１１】  図５は、請求項２のめくり用つまみ部形成カーペットクリーナー粘着テープの斜視図である。
カーペットクリーナー粘着テープのロール左端１から右へ約５ｍｍ乃至１５ｍｍ（Ｌ３）の点を始点Ａとし、粘着紙のめくり方向にテープ表面上の円周上に約３０ｍｍ（Ｌ４）長さの直線や破線や段違い破線などの短い切り込み線４を、左端面から約１５ｍｍ（Ｌ５）の屈折点Ｅまたは図７の屈曲点Ｆまで入れ、更にロール右端２の終点Ｂまで直線や曲線でテープ軸線に対し平行または仰角や俯角を付けた同様の長い切り込み線３を入れいれる。
（Ｌ４）約３０ｍｍは（Ｌ５）約１５ｍｍの二倍であり、粘着テープロール左端外部にめくり用つまみ部を形成するに必要な寸法である。
（Ｌ３）の約５ｍｍ乃至１５ｍｍを（Ｌ５）の約１５ｍｍと同じ約１５ｍｍにすれば、めくり用つまみ部の形状を長い台形から長方形の短冊に変更できる。【００１２】ゴミが付着し粘着力が無くなったときには、図６に示すテープの軸方向左端外部に形成されているつまみ部５を引き上げてめくると約一周で先ずテープ表面の切り込み線始点部Ａがめくれて浮き上がるから此の部分を指で押さえ更にめくって始点部Ａをちぎり終点Ｂ迄めくりとってから、浮き上がっている始点部Ａをテープ左端にはみださせて折り曲げ、テープ面に指で押し付け接着させるとテープ軸方向テープ外側に次回めくり用つまみ部５が形成される。【００１３】上項中での、つまみ部５を引き上げてめくると約一周で先ずテープ表面の切り込み線始点部Ａがめくれて浮き上がるのは、左端１と始点Ａとの間に余白Ｌ３を設けてテープが切れずに連続している事に依る。【００１４】  図７は短い切り込み線４の屈曲点Ｆから曲線Ｑで長い切り込み線３に繋げた請求項２のめくり用つまみ部形成カーペットクリーナー粘着テープの斜視図であって、図５の屈折点Ｅでの千切れ易さを防ぐ手段である。【００１５】  図４のＪは軸線をしめし、Ｋは直線切り込み、以下Ｌは破線切り込み、Ｍは段違い破線切り込みと切り込み線種を示し、長い切り込み線３はＮの軸線に平行な切り込み、Ｏの軸線に仰角の切り込み、Ｐの軸線に俯角の切り込み、Ｑの曲線の切り込みが選べ、請求項２のめくり用つまみ部形成カーペットクリーナー粘着テープに適用できる。
【実施例３】
【００１６】  図８は、請求項３のめくり用つまみ部形成カーペットクリーナー粘着テープの斜視図である。
カーペットクリーナー粘着テープのロール左端１から右へ約５ｍｍ（Ｌ３）の点を始点Ａとし、粘着紙のめくり方向にテープ表面上の円周上に、端面に対し約１５度〜３０度の直線や破線や段違い線などの粘着紙切り離し用の長い切り込み線４を、直線状または曲線状に右端２の終点Ｂまで入れる。【００１７】  ゴミが付着し粘着力が無くなったときには図９に示すテープの軸方向左端外部に形成されているつまみ部５を引き上げてめくると約一周で先ずテープ表面の切り込み線始点部Ａがめくれて浮き上がるから此の部分を指で押さえ、更にめくって始点部Ａをちぎり、終点Ｂ迄めくりとってから浮き上がっている始点部Ａをテープ左端１の外側へ約１５ｍｍないし２０ｍｍはみださせて折り曲げ、テープ面に指で押し付け接着させるとテープ軸方向テープ外側に次回めくり用つまみ部５が形成される。【００１８】  図１０は、長い切り込み線４の終点Ｂを始点Ａから、テープのめくり方向の表面上の一回転と約２０ｍｍ（Ｌ６）過ぎた点に置き、始点Ａから約１５度〜３０度で約３０ｍｍの屈曲点Ｅと終点Ｂを曲線で繋げて、めくり長さを短縮させた請求項３のめくり用つまみ部形成カーペットクリーナー粘着テープの斜視図である。
【図面の簡単な説明】
【００１９】
【図１】  請求項１の斜視図
【図２】  テープめくり始めの斜視図で次回つまみ部５が形成された状態
【図３】  めくり終わりに短冊部６が形成されつつある状態の斜視図
【図４】  用語の説明図と切り込み線の種類と角度表示の平面図
【図５】  請求項２の斜視図
【図６】  テープめくり始めの斜視図で次回つまみ部５が形成された状態
【図７】  曲線Ｑで繋げた切り込み線を使った請求項２の斜視図
【図８】  請求項３の斜視図
【図９】  テープめくり始めの斜視図で次回つまみ部５が形成された状態を示す
【図１０】  曲線を使った請求項３の斜視図
【符号の説明】
【００２０】１  左端
２  右端
３  長い切り込み線
４  短い切り込み線
５  つまみ部
６  短冊
Ａ  始点
Ｂ  終点
Ｃ  短い切り込み線始点
Ｄ  短い切り込み線終点
Ｅ  屈折点
Ｆ  屈曲点
Ｊ  軸線
Ｋ  直線切り込み
Ｌ  破線切り込み
Ｍ  段違い破線切り込み
Ｎ  軸線に平行
Ｏ  軸線に対し仰角
Ｐ  軸線に対し俯角
Ｑ  曲線
Ｌ１  長い切り込み線余白
Ｌ２  短い切り込み線長さ
Ｌ３  短い切り込み線余白
Ｌ４  短い切り込み線長さ
Ｌ５  長い切り込み線と短い切り込み線の円周上の間隔
Ｌ６  ＡとＢの円周上の間隔
Ｌ７  屈折点Ｅ、又は屈曲点Ｆと左端１との間隔
【図１】
2015214666.tif 000003
【図２】
2015214666.tif 000004
【図３】
2015214666.tif 000005
【図４】
2015214666.tif 000006
【図５】
2015214666.tif 000007
【図６】
2015214666.tif 000008
【図７】
2015214666.tif 000009
【図８】
2015214666.tif 000010
【図９】
2015214666.tif 000011
【図１０】
2015214666.tif 000012